(57)【特許請求の範囲】
【請求項１】
水を満たした貯留槽（２）の上部開口（５）には、人体を乗せる防水性可撓膜（６）を張設し、貯留槽（２）内には、防水性可撓膜（６）に向かって水を噴出し、貯留槽（２）の長手方向に移動可能にノズル（３）を設けて構成されるウォーターベッド式のマッサージ機において、前記ノズル（３）から噴出する噴流水の進行方向を、貯留槽（２）の短手方向に変更させる案内部材（４）を設け、案内部材（４）を、貯留槽（２）の前壁（２ｂ）と後壁（２ｃ）とに懸け渡した軸（１３）と、軸（１３）に取着した平板（１４）又はパイプ（２４）とから構成したことを特徴とする少水量型ウォーターベッドマッサージ機。
【請求項２】
貯留槽（２）はその短手方向垂直断面を、上部開口（５）幅より底部幅を狭幅とし、及び／又は、貯留槽（２）はその水平断面を、上体載置部（２６）より下肢載置部（２７）を狭幅な形状としたことを特徴とする請求項１記載の少水量型ウォーターベッドマッサージ機。
【発明の詳細な説明】
【０００１】
【産業上の利用分野】
本発明は、臥姿勢の人体の頚部、体幹及び下肢を、噴流水圧によりマッサージする少水量型ウォーターベッドマッサージ機に関する。
【０００２】
【従来の技術】
従来の技術として、特開平８−２５２２９３号公報に、上部開口、防水性可撓膜、水槽、ウォーターベッド、吸水口、吐水口、ポンプ、水槽の長手方向に往復移動自在且つ横断方向に首振り自在に配設したノズル等から構成されるウォーターベッド式マッサージ機が開示されている。
【０００３】
【発明が解決しようとする課題】
前記した従来装置は、横方向への適切なマッサージ刺激範囲（＝略肩幅）を確保するには、水槽の幅が広くなり、水量が多くなる。即ち、上方に開口したノズルが水平面に沿って回動する構成であるから、機構部が人体マッサージ刺激範囲より幅広になり、装置が大型化するという難点がある。
又、メンテナンス性や経済性等の面から、水槽の水収容容積が可能な限り小さいもので水量を節減できるものが望まれていた。
【０００４】
本発明の目的は、上記難点を解決したものであり、機器をスリム化し、水量を節減した少水量型ウォーターベッドマッサージ機を提供することにある。
【０００５】
【課題を解決するための手段】
即ち本発明は、水を満たした貯留槽（２）の上部開口（５）には、人体を乗せる防水性可撓膜（６）を張設し、貯留槽（２）内には、防水性可撓膜（６）に向かって水を噴出し、貯留槽（２）の長手方向に移動可能にノズル（３）を設けて構成されるウォーターベッド式のマッサージ機において、前記ノズル（３）から噴出する噴流水の進行方向を、貯留槽（２）の短手方向に変更させる案内部材（４）を設け、案内部材（４）を、貯留槽（２）の前壁（２ｂ）と後壁（２ｃ）とに懸け渡した軸（１３）と、軸（１３）に取着した平板（１４）又はパイプ（２４）とから構成したことを特徴とする少水量型ウォーターベッドマッサージ機である。又、貯留槽（２）はその短手方向垂直断面を、上部開口（５）幅より底部幅を狭幅とし、及び／又は、貯留槽（２）はその水平断面を、上体載置部（２６）より下肢載置部（２７）を狭幅な形状とする。
【０００６】
【作用】
本発明に係る貯留槽２に水を満たし、貯留槽２の上部開口５に張設した防水性可撓膜６に人体を乗せ、該人体に噴流水圧によるマッサージを施す。
貯留槽２内に設けられるノズル３は、貯留槽２の長手方向に移動するものであって、防水性可撓膜６に向かって水を噴出する。
案内部材４はノズル３から噴出する噴流水の進行方向を貯留槽２の短手方向に変更させる。
【０００７】
貯留槽２はその短手方向垂直断面を、上部開口５幅より底部幅を狭幅に形成し、水収容容積を小さくし、使用する水を節減する。
【０００８】
又、貯留槽２はその水平断面を、人体上体載置部２６より人体下肢載置部２７を狭幅な形状に形成し、水収容容積を小さくし、使用する水を節減する。
【０００９】
【実施例】
図１、２、３に本発明の第１実施例に係る少水量型ウォーターベッドマッサージ機１を示している。少水量型ウォーターベッドマッサージ機１は、水を満たす貯留槽２と、貯留槽２内にあって貯留槽２の長手方向（＝前後方向）に移動可能に設けられるノズル３と、ノズル３から噴出する噴流の方向を貯留槽２の短手方向（＝左右方向）に可変させる案内部材４とを有している。
【００１０】
貯留槽２の上部開口５には、人体を乗せる防水性可撓膜６が張設される。
【００１１】
ノズルユニット７は、下部に車輪８が設けられた台車９と、台車９上に立設されるノズル３とからなる。ノズル３は、防水性可撓膜６に向かって水を噴出するものであって、貯留槽２に乗る人体の下方に位置して左右各１個（＝人体肩幅方向に互いに間隔を開けて２個）の左・右ノズル３ａ・３ｂである。
【００１２】
貯留槽２の前部に取着される従動プーリー２９と、貯留槽２の後方に取着される駆動プーリー３０と、該駆動プーリー３０を支持し回動させる移動モーター３４と、両プーリー２９、３０に掛け回した上張設される無端索体３１とでなる移動機構３２が、貯留槽２に設けられる。移動モーター３４は、底壁２ａの下面に取着され、モーター軸３５が底壁２ａを貫通して駆動プーリー３０に連結される。
【００１３】
無端索体３１を台車９の適宜箇所に止着具３５で止着し、駆動プーリー３０の正・逆回転により無端索体３１に引かれて台車９は貯留槽２の底壁２ａ上を往復移動する。
【００１４】
ポンプ１０は、貯留槽２の壁外に設置され、取水口１１から貯留槽２内の貯留水を吸い込み、加圧し、可撓ホース１２を介してノズル３へ付与し、ノズル３から防水性可撓膜６に向かって噴出させるものである。
【００１５】
案内部材４は、舵板式と称され、前記ノズル３から噴出する噴流の方向を、貯留槽２の短手方向に往復可変させるもので、貯留槽２の前壁２ｂと後内壁２ｃとに懸け渡した軸１３に平板１４が取着されてなる。更に具体的には、該案内部材４は左・右案内部材４ａ・４ｂであり、軸１３は左・右軸１３ａ・１３ｂであり、左右方向に２個設けられる。
【００１６】
軸１３は可変機構１５によって連続的に往復回動し、平板１４は垂直状と斜面状とに緩やかに往復移動する。前記可変機構１５は、貯留槽２の後内壁２ｃの外面に設けられるモーター１６と、貯留槽２の後内壁２ｃの内面に設けられる左・右小ギア１７・１８、左・右大ギア１９・２０でなる。
【００１７】
左小ギア１７は前記モーター１６に連結されており、左大ギア１９は左小ギア１７の左側部に噛合され、左大ギア１９には前記左軸１３ａが連結される。
右小ギア１８は左小ギア１７の右側部に噛合され、右大ギア２０は右小ギア１８の右側部に噛合される。左大ギア１９と右大ギア２０は互いに逆回転する。
図中、２８はカバーである。
【００１８】
実施例を使用する際は、貯留槽２に水を満たし、貯留槽２の上部開口５に張設した防水性可撓膜６に人体を乗せ、該可撓膜６で人体を支持する。
貯留槽２内に設けられるノズル３は、貯留槽２の長手方向に移動しながら、防水性可撓膜６に向かって水を噴出し、該防水性可撓膜６を介して、人体に噴流水の衝突刺激によるマッサージを施す。
【００１９】
噴流水は、複数個設けられた前記ノズル３の上方に存在する斜面状の平板１４に衝突し、この噴流水は平板１４に添って進行する。平板１４を垂直位置から傾斜位置の間を往復回動させ、噴流水の進行方向を貯留槽２の短手方向に振り、この噴流水の防水性可撓膜６への衝突位置を往復変更させる。
【００２０】
噴流水の衝突位置は、防水性可撓膜６の中央部６ａと左部６ａと、及び、中央部６ａと右部６ｃとの間を往復移動する。
更に、前記移動機構３３を作動させてノズル３を人体頚部から足までの間に移動させ、このノズル３移動に伴って、噴流水は、往復移動しながら防水性可撓膜６を介して人体頚部から足までの間に衝突し、当該人体にマッサージを施す。
【００２１】
貯留槽２はその短手方向垂直断面を、上部開口５幅より貯留槽２底部幅を狭幅に形成し、水収容容積を小さくする。更に、貯留槽２の水平断面を、該貯留槽２の上体載置部２６より下肢載置部２７を狭幅な形状に形成し、水収容容積を一層小さくする。
【００２２】
図４、５、６に示す第２実施例は、第１実施例における可変機構１５を、スプライン軸式回動機構２１に代えたものである。
スプライン軸式回動機構２１は、台車９に立設した縦板９ａと、縦板９ａに設けられる左・右小ギア１７・１８と、左・右大ギア１９・２０と、貯留槽２の前壁２ｂと後内壁２ｃとに懸け渡されるスプライン軸２２と、貯留槽２外に存在してスプライン軸２２に連結される移動用モーター２３とからなる。
【００２３】
第２実施例では、左小ギア１７はスプライン軸２２に貫通され、スライドは自在であるがスプライン軸２２の回動は伝動される。
左小ギア１７の回動により、右小ギア１８と、左・右大ギア１９・２０が回動し、案内部材４が左又は右に傾斜回動し、ノズル３から噴出した噴流水の向きが、直上から左又は右方向に徐々に変更し、又は、左又は右方向から直上に徐々に変更する。
【００２４】
上述のように噴流水の向きが変わるので、噴流水の衝突刺激で、人体後背部の中心から後背部の側部にわたって往復してマッサージを施せる。
又、第２実施例においては、貯留槽２はその短手方向垂直断面を、上部開口５幅より底部幅を狭幅に形成し、更に、水平断面を、人体の上体を支持する上体載置部２６より人体の下肢を支持する下肢載置部２７を狭幅な形状に形成し、少水量化を図っている。
【００２５】
図７に示す第３実施例は、第１実施例における案内部材４の構成部材である平板１４をパイプ２４に代えたものであり、パイプ式案内部材と称される。
第３実施例では、ノズル３から噴出した噴流水はパイプ２４に添って進み噴流向きが調節される。従って、パイプ２４の傾斜回動とその復帰回動に伴って、噴流水の向きが変わりマッサージ部位を人体中心から側方へ、更に、人体側方から中心へ変更できる。
【００２６】
【発明の効果】
本発明は、ウォーターベッド式のマッサージ機において、ノズル３から噴出する噴流水の進行方向を、貯留槽２の短手方向に可変させる案内部材４を設け、案内部材４を、貯留槽２の前壁２ｂと後壁２ｃとに懸け渡した軸１３と、軸１３に取着した平板１４又はパイプ２４とから構成したものである。この構成では、ノズル３は固定したままで、案内部材４により噴流水の方向を可変できるので、肩幅方向のマッサージが可能であるだけでなく、従来技術よりもノズル３間隔（＝ノズルユニット７幅）を狭くでき、このため、貯留槽２の短手方向幅も狭くできるので少水量化になり、機器も小型になり、好都合である。
【００２７】
本発明に係る貯留槽２はその短手方向垂直断面を、上部開口５幅より底部幅を狭幅としたものであるから、更に少水量化になり、好都合である。
【００２８】
又、本発明に係る貯留槽２はその水平断面を、上体載置部２６より下肢載置部２７を狭幅な形状としたものであるから、更に少水量化になり、好都合である。
【図面の簡単な説明】
【図１】本発明の第１実施例の短手方向垂直断面図である。
【図２】本発明の第１実施例の水平部分断面図である。
【図３】本発明の第１実施例の長手方向垂直断面図である。
【図４】本発明の第２実施例の短手方向垂直断面図である。
【図５】本発明の第２実施例の水平部分断面図である。
【図６】本発明の第２実施例の水平断面図である。
【図７】本発明の第３実施例の短手方向垂直断面図である。
【符号の説明】
２  貯留槽
３  ノズル
４  案内部材
５  上部開口
６  防水性可撓膜
【図１】
0003678988.tif 000002
【図２】
0003678988.tif 000003
【図３】
0003678988.tif 000004
【図４】
0003678988.tif 000005
【図５】
0003678988.tif 000006
【図６】
0003678988.tif 000007
【図７】
0003678988.tif 000008